(57)【特許請求の範囲】
【請求項１】
送信側装置から送信されてくる回線状況判定信号に基づいて、帯域幅及び信号／雑音比を検出する検出手段と、検出手段で検出した帯域幅及び信号／雑音比を送信側装置に送信する制御手段とを備えた通信端末装置。
【請求項２】
受信側装置から送信されてくる帯域幅及び信号／雑音比を含む情報を受信し、その受信した情報を送信先毎に対応させて記憶する記憶手段と、記憶手段に記憶された帯域幅及び信号／雑音比に基づいて、通信速度を決定するとともに、送信先毎に発呼する制御手段とを備えた通信端末装置。
【発明の詳細な説明】
【０００１】
【発明の属する技術分野】
本発明は、ファクシミリ装置、コピー機能とファクシミリ機能とを備えた複合機等に代表される通信端末装置に関し、より詳しくはＩＴＵ−Ｔ勧告Ｖ．３４機能を備えた通信端末装置に関するものである。
【０００２】
【従来の技術】
従来より、通信端末装置としてのファクシミリ装置においては、モデムによりＩＴＵ−Ｔ勧告Ｖ．１７等に従って送信画データを変調して、同勧告Ｔ．３０に従ったファクシミリ伝送制御手順で画データの送信が行われている。
【０００３】
近年では、画データを最大３３．６〔ｋｂｐｓ〕の通信速度で送信することが可能な同勧告Ｖ．３４機能を備えたファクシミリ装置も普及しつつある。このＶ．３４機能を用いれば、送信側装置と受信側装置との間の回線状況に応じて、通信速度を変更することが可能である。このため、大量の画データを送信する場合であって、回線状況が良好な場合は、通信時間を短くすることができるとともに、その通信にかかる通信料金も安くすることができる。加えて、従来より、画データを確実に送信するためにＥＣＭモード（誤り訂正機能）を備えたファクシミリ装置もある。従って、ＥＣＭモードでＶ．３４機能に従って送信することにより、画データをより速く、より確実に受信側装置に送信することができる。
【０００４】
【発明が解決しようとする課題】
ところが、このＥＣＭモードでＶ．３４機能に従って送信している場合において、送信側装置と受信側装置との間の回線状況が悪化し、誤りフレームが発生すると、受信側装置から送信側装置に対して再送要求を示す信号が送信される。すると、送信側装置は、誤りフレームの画データを受信側装置に再送する。加えて、回線状況がさらに悪化すると、通信速度を下げて誤りフレームの画データを受信側装置に再送する。その結果、回線状況の悪い受信側装置との間では、通信速度の速いＶ．３４機能を用いた通信であっても、送信側装置からの再送が頻発して、逆に通信時間が長くなるとともに、通信料金が高くなることがあった。
【０００５】
本発明は、このような従来の技術に存在する問題点に着目してなされたものであって、その目的は、適切な通信速度を予め決定することが可能な通信端末装置を提供することにある。
【０００６】
【課題を解決するための手段】
上記の目的を達成するために、請求項１に記載の発明では、送信側装置から送信されてくる回線状況判定信号に基づいて、帯域幅及び信号／雑音比を検出する検出手段と、検出手段で検出した帯域幅及び信号／雑音比を送信側装置に送信する制御手段とを備えた。
【０００７】
請求項２に記載の発明では、受信側装置から送信されてくる帯域幅及び信号／雑音比を含む情報を受信し、その受信した情報を送信先毎に対応させて記憶する記憶手段を備えた。
【０００８】
また、請求項２に記載の発明では、記憶手段に記憶された帯域幅及び信号／雑音比に基づいて、通信速度を決定するとともに、送信先毎に発呼する制御手段を備えた。
【０００９】
なお、以下に述べる発明の実施の形態において、特許請求の範囲または課題を解決するための手段に記載の「通信端末装置」はファクシミリ装置１に相当し、同じく「検出手段」はモデム２０に相当し、同じく「制御手段」はＭＰＵ１１、ＲＯＭ１２及びＲＡＭ１３に相当する。
【００１０】
【発明の実施の形態】
以下に、本発明を具体化した一実施形態を図面を用いて説明する。
図１に示すように、通信端末装置としてのファクシミリ装置１は、ＭＰＵ１１、ＲＯＭ１２、ＲＡＭ１３、読取部１４、記録部１５、操作部１６、表示部１７、画像メモリ１８、コーデック１９、モデム２０及びＮＣＵ２１から構成されるとともに、各部１１〜２１がバス２２を介してそれぞれ接続されている。
【００１１】
ＭＰＵ１１は、ファクシミリ装置１を構成する各部を制御する。ＲＯＭ１２は、ファクシミリ装置１を制御するためのプログラムを記憶する。ＲＡＭ１３は、ファクシミリ装置１に関する各種情報を一時的に記憶する。また、ＲＡＭ１３は、再送回数を一時的に記憶する再送回数記憶領域１３ａを備えている。さらに、ＲＡＭ１３は、図２に示すように、「短縮番号」、「ＦＡＸ番号」、「帯域幅（Ｌ：低域側の遮断周波数、Ｈ：高域側の遮断周波数）」、「Ｓ／Ｎ比」、「再送回数」の各項目から構成されるＦＡＸ番号テーブル１３ｂを記憶する。加えて、ＲＡＭ１３は、図３に示すように、「帯域幅（Ｌ：低域側の遮断周波数、Ｈ：高域側の遮断周波数）」、「シンボル速度」の各項目から構成されるシンボル速度決定テーブル１３ｃを記憶する。また、ＲＡＭ１３は、図４に示すように、「Ｓ／Ｎ比」、「通信速度」から構成される通信速度決定テーブル１３ｄを記憶する。なお、図２〜図４に示す「帯域幅」及び「Ｓ／Ｎ比」の項目におけるデータの後に付加した「Ｈ」は、１６進数を示す。また、図３に示すシンボル速度決定テーブル１３ｃ及び図４に示す通信速度決定テーブル１３ｄは、実験により決定された値である。
【００１２】
読取部１４は、原稿上の画像データを読み取って、白黒２値のイメージデータを出力する。記録部１５は、電子写真方式のプリンタよりなり、受信画データやコピー動作において、読取部１４にて読み取られた原稿の画データを記録紙上に記録する。
【００１３】
操作部１６は、電話番号等を入力するためのテンキー（＊，＃キーを含む）１６ａ、短縮番号の登録、短縮番号から発信するするための短縮キー１６ｂ、原稿の読み取り動作を開始させるためのスタートキー１６ｃ、「通信（ＦＡＸ）」動作又は「コピー」動作を設定するための通信／コピーキー１６ｄ、通信モードを「ＥＣＭモード」または「非ＥＣＭモード」に設定するための通信モードキー１６ｅ等の各種操作キーを備えている。ＬＣＤ等よりなる表示部１７は、ファクシミリ装置１の動作状態等の各種情報の表示を行う。
【００１４】
画像メモリ１８は、受信画データや読取部１４で読み取られ、コーデック１９でＭＭＲ圧縮符号化された画データを一時的に記憶する。コーデック１９は、読取部１４にて読み取られた画データを送信のためにＭＨ，ＭＲ，ＭＭＲ方式等により符号化（エンコード）する。また、コーデック１９は、受信画データを復号（デコード）する。
【００１５】
モデム２０は、ＩＴＵ−Ｔ勧告Ｔ．３０に従ったファクシミリ伝送制御手順に基づいて、ＩＴＵ−Ｔ勧告Ｖ．１７，Ｖ．２７ｔｅｒ，Ｖ．２９等（以下、Ｖ．１７等）のいずれかに従った送受信データの変調及び復調を行う。また、モデム２０は、ＩＴＵ−Ｔ勧告Ｖ．８に従ったセッション開始手順と、ＩＴＵ−Ｔ勧告Ｖ．３４に従った送受信データの変調及び復調とを行う。さらに、モデム２０は、ＥＣＭモード（誤り訂正機能）と非ＥＣＭモードとに従った通信を行う機能を備えている。加えて、モデム２０は、帯域幅における低域側の遮断周波数及び高域側の遮断周波数と、Ｓ／Ｎ比とをＭＰＵ１１に出力する。
【００１６】
ＮＣＵ２１は、電話回線Ｌとの接続を制御するとともに、相手先のＦＡＸ番号に対応したダイヤル信号の送出及び着信を検出するための機能を備えている。
以上のように構成されたファクシミリ装置１において、ＥＣＭモードを用いて送信する時の動作について、図５に示すＶ．８及びＶ．３４における通信動作を示す説明図を参照しつつ、図６〜図９に示すフローチャートを用いて説明する。なお、このフローチャートにおいて、使用者以外の動作は、ＲＯＭ１２に記憶されたプログラムに基づき、ＭＰＵ１１の制御により実行される。また、このフローチャートの処理に先だって、使用者により、通信／コピーキー１６ｄが操作されて「通信モード」に、通信モードキー１６ｅが操作されて「ＥＣＭモード」に、それぞれ設定されているものとする。
【００１７】
図６に示すように、Ｓ１においては、使用者により、原稿が読取部１４の原稿台（図示略）に載置される。
Ｓ２においては、使用者により、送信先のＦＡＸ番号が、操作部１６のテンキー１６ａ又は短縮キー１６ｂから入力される。
【００１８】
Ｓ３においては、使用者により、スタートキー１６ｃが押下されるのが待たれる。
Ｓ４においては、再送回数記憶領域１３ａの値がクリアされる。
【００１９】
Ｓ５においては、原稿が読取部１４で読み取られるとともに、その読み取られた原稿の画データがコーデック１９で符号化される。そして、その符号化された画データが画像メモリ１８に記憶される。
【００２０】
Ｓ６においては、前記Ｓ２において入力された送信先のＦＡＸ番号に対応する各項目の内容が、ＦＡＸ番号テーブル１３ｂに登録されているか否かが判断される。各項目の内容がＦＡＸ番号テーブル１３ｂに登録されている場合は、Ｓ７に移行する。一方、各項目の内容がＦＡＸ番号テーブル１３ｂに登録されていない場合は、そのＦＡＸ番号に対しては、過去に送信が行われていないと判断して、図７に示すＳ１１に移行する。
【００２１】
Ｓ７においては、前記Ｓ２において入力された送信先のＦＡＸ番号に対応する帯域幅に基づいて、シンボル速度決定テーブル１３ｃからシンボル速度が決定される。具体的には、例えばＳ２において短縮番号「０」が入力された場合は、ＦＡＸ番号テーブル１３ｂに対応する帯域幅がＬ：０１Ｈ，Ｈ：２６Ｈであることより、シンボル速度決定テーブル１３ｃの帯域幅Ｌ：００Ｈ，Ｈ：２６Ｈの場合に該当し、シンボル速度が３４２９〔ｂａｕｄ〕に決定される。
【００２２】
Ｓ８においては、前記Ｓ７において決定されたシンボル速度と前記Ｓ２において入力されたＦＡＸ番号に対するＳ／Ｎ比とに基づいて、通信速度決定テーブル１３ｄから通信速度が決定される。具体的には、前例においてシンボル速度が３４２９〔ｂａｕｄ〕であることより、シンボル速度３４２９〔ｂａｕｄ〕の場合の通信速度決定テーブル１３ｄに該当する。また、Ｓ／Ｎ比が１６Ｈ〔ｄＢ〕であることより、同テーブル１３ｄのＳ／Ｎ比が１７Ｈ〜１９Ｈ〔ｄＢ〕に該当し、通信速度が２４．０〔ｋｂｐｓ〕に決定される。
【００２３】
Ｓ９においては、前記Ｓ２において入力された送信先のＦＡＸ番号に対応する再送回数が「０」か否かが判断される。再送回数が「０」の場合は、図７に示すＳ１１に移行する。一方、再送回数が「０」以外の場合は、Ｓ１０に移行する。具体的には、前例においては、再送回数が「１」であることより、Ｓ１０に移行する。
【００２４】
Ｓ１０においては、通信速度が１ランク低下される。すなわち、ＦＡＸ番号テーブル１３ｂの帯域幅とＳ／Ｎ比とから得られる通信速度では、前回の送信時に再送が発生している。そこで、今回の送信においては、再送が発生するのを極力抑制するために、予め１ランク低下させた通信速度で送信を行うのである。具体的には、前例において、通信速度が２４．０〔ｋｂｐｓ〕から１４．４〔ｋｂｐｓ〕に低下される。
【００２５】
図７に示すＳ１１においては、前記Ｓ２において入力されたＦＡＸ番号に対して発呼が行われる。具体的には、呼出信号（ＣＮＧ信号またはＣＩ信号等）が交換機に送信される。
【００２６】
Ｓ１２においては、ＮＣＵ２１により、交換機との間の回線Ｌが閉結されるのが待たれる。
Ｓ１３においては、所定時間が経過するまでの間に、受信側装置から送信されてくるＡＮＳａｍ信号（変形応答トーン）が受信されるのが待たれる。
【００２７】
Ｓ１４においては、ＣＭ信号（起呼メニュー信号）が受信側装置に送信される。
Ｓ１５においては、所定時間が経過するまでの間に、受信側装置から送信されてくるＪＭ信号（共通メニュー信号）が受信されるのが待たれる。
【００２８】
Ｓ１６においては、ＣＪ信号（ＣＭ終端信号）が受信側装置に送信される。
Ｓ１７においては、所定時間が経過するまでの間に、受信側装置から送信されてくるＩＮＦＯ０ａ信号が受信されるのが待たれる。ここで、ＩＮＦＯシーケンス（ＩＮＦＯ０ａ信号、ＩＮＦＯ０ｃ信号及びＩＮＦＯｈ信号）は、モデム能力、ラインプロービング結果、データモード変調パラメータを交換するのに用いられる。
【００２９】
Ｓ１８においては、トーンＡ信号及びトーンＡ位相反転信号が検出される。ここで、トーンＡとは２４００〔Ｈｚ〕のトーンであり、トーンＡ位相反転信号とはトーンＡを１８０度位相反転したものである。
【００３０】
Ｓ１９においては、所定の無音期間が経過すると、ＩＮＦＯ０ｃ信号が受信側装置に送信される。ここで、ＩＮＦＯ０シーケンスにおいて、送信側装置のシンボル速度が受信側装置に知らされるが、Ｓ７において前回の送信時における帯域幅及びＳ／Ｎ比からシンボル速度が前もって決定されている場合は、ＩＮＦＯ０ｃ信号で決定したシンボル速度以下の能力を示す情報が、受信側装置に知らされる。一方、前回の送信時における帯域幅及びＳ／Ｎ比がＦＡＸ番号デーブル１３ｂに記憶されていない場合は、元々送信側装置が有する最高能力のシンボル速度が受信側装置に知らされる。なお、受信側装置は、送信側装置から受信したＩＮＦＯ０ｃ信号で示されるシンボル速度を超えるシンボル速度を選択することはない。
【００３１】
Ｓ２０においては、トーンＢ信号及びトーンＢ位相反転信号が受信側装置に送信される。ここで、トーンＢとは１２００〔Ｈｚ〕のトーンであり、トーンＢ位相反転信号とはトーンＢを１８０度位相反転したものである。
【００３２】
図８に示すＳ２１においては、Ｌ１，Ｌ２信号（回線状況判定信号としてのラインプロービング信号）が受信側装置に送信される。ここで、ラインプロービング信号とは、プロービング・トーンと呼ばれる１５０〔Ｈｚ〕から３７５０〔Ｈｚ〕までの１５０〔Ｈｚ〕刻み（但し、９００，１２００，１８００，２４００〔Ｈｚ〕を除く）の２１種類の周波数と、おのおのの位相を適当に設定したトーンを１５０〔Ｈｚ〕から順次変更し、１６０〔ｍｓ〕の間に２４回繰り返し送信するものである。つまり、このラインプロービング信号が送信側装置から回線Ｌを介して受信側装置に送信される。すなわち、この信号を受信側装置で受信することにより、回線Ｌの特性が受信側装置で測定される。
【００３３】
Ｓ２２においては、所定時間が経過するまでの間に、受信側装置から送信されてくるトーンＡ信号が受信されるのが待たれる。
Ｓ２３においては、トーンＢ信号が受信側装置に送信される。
【００３４】
Ｓ２４においては、所定時間が経過するまでの間に、受信側装置から送信されてくるＩＮＦＯｈ信号が受信されるのが待たれる。すなわち、ＩＮＦＯｈ信号中の第２７ビットから第２９ビットで示されるシンボル速度が受信される。
【００３５】
Ｓ２５においては、Ｓ信号、Ｓ反転信号、ＰＰ信号及びＴＲＮ信号が受信側装置に送信される。
Ｓ２６においては、ＰＰｈ信号、ＡＬＴ信号及びＭＰｈ信号の送受信が受信側装置との間で行われる。そして、ＭＰｈ信号のやりとりにおいて、送受信間の通信速度が決定される。
【００３６】
Ｓ２７においては、Ｅ信号の送受信が受信側装置との間で行われる。
図９に示すＳ３１においては、所定時間が経過するまでの間に、受信側装置から送信されてくるＮＳＦ信号、ＣＳＩ信号及びＤＩＳ信号が受信されるのが待たれる。
【００３７】
Ｓ３２においては、受信されたＮＳＦ信号中のＦＩＦ（Ｆａｃｓｉｍｉｌｅ  Ｉｎｆｏｒｍａｔｉｏｎ  Ｆｉｅｌｄ）領域で示される帯域幅及びＳ／Ｎ比が、ＦＡＸ番号テーブル１３ｂに記憶される。すなわち、次回の送信時に通信速度を決定するためのデータとして帯域幅及びＳ／Ｎ比がＦＡＸ番号テーブル１３ｂに記憶される。
【００３８】
Ｓ３３においては、ＮＳＳ信号、ＴＳＩ信号及びＤＣＳ信号が送信側装置に送信される。
Ｓ３４においては、ＥＣＭモードに従って１ブロック分の画データが受信側装置に送信される。
【００３９】
Ｓ３５においては、受信側装置からのＰＰＲ信号（部分ページ要求）を受信したか否かが判断される。すなわち、再送エラーが発生して受信側装置から再送要求があったか否かが判断される。ＰＰＲ信号を受信した場合は、Ｓ３６に移行する。一方、ＰＰＲ信号を受信しなかった場合は、Ｓ３８に移行する。
【００４０】
Ｓ３６においては、再送回数記憶領域１３ａの値がインクリメントされる。
Ｓ３７においては、受信側装置からＰＰＲ信号で指定されたフレームの画データが受信側装置に再送される。すなわち、受信側装置からＰＰＲ信号が受信されなくなるまで、Ｓ３５〜Ｓ３７の処理が繰り返し実行される。
【００４１】
Ｓ３８においては、次ブロックの画データが画像メモリ１８に有るか否かが判断される。次ブロックの画データが有る場合は、Ｓ３９に移行する。一方、次ブロックの画データがない場合は、Ｓ４０に移行する。
【００４２】
Ｓ３９においては、ＰＰＳ−ＭＰＳ信号が受信側装置に送信される。
Ｓ４０においては、ＰＰＳ−ＥＯＰ信号が受信側装置に送信される。
Ｓ４１においては、ＤＣＮ信号が受信側装置に送信されるとともに、ＮＣＵ２１により、交換機との間の回線Ｌが開放される。
【００４３】
Ｓ４２においては、再送回数記憶領域１３ａの値が、ＦＡＸ番号テーブル１３ｂの「再送回数」の項目に記憶される。
次に、ファクシミリ装置１において、ＥＣＭモードを用いて受信する時の動作について、図５に示すＶ．８及びＶ．３４における通信動作を示す説明図を参照しつつ、図１０〜図１２に示すフローチャートを用いて説明する。なお、このフローチャートの動作は、ＲＯＭ１２に記憶されたプログラムに基づき、ＭＰＵ１１の制御により実行される。
【００４４】
Ｓ５１においては、送信側装置における発呼に基づく交換機からの呼出ベル信号が、ＮＣＵ２１で検出されるのが待たれる。
Ｓ５２においては、ＮＣＵ２１により、交換機との間の回線Ｌが閉結される。
【００４５】
Ｓ５３においては、ＡＮＳａｍ信号が送信側装置に送信される。
Ｓ５４においては、所定時間が経過するまでの間に、送信側装置から送信されてくるＣＭ信号が受信されるのが待たれる。
【００４６】
Ｓ５５においては、ＪＭ信号が送信側装置に送信される。
Ｓ５６においては、所定時間が経過するまでの間に、送信側装置から送信されてくるＣＪ信号が受信されるのが待たれる。
【００４７】
Ｓ５７においては、ＩＮＦＯ０ａ信号が送信側装置に送信される。
Ｓ５８においては、所定時間が経過するまでの間に、送信側装置から送信されてくるＩＮＦＯ０ｃ信号が受信されるのが待たれる。
【００４８】
Ｓ５９においては、トーンＢ信号及びトーンＢ位相反転信号が検出される。
Ｓ６０においては、トーンＡ信号及びトーンＡ位相反転信号が送信側装置に送信される。
【００４９】
図１１に示すＳ６１においては、所定時間が経過するまので間に、送信側装置から送信されてくるＬ１、Ｌ２信号が受信されるのが待たれる。
Ｓ６２においては、トーンＡ信号が受信側装置に送信される。
【００５０】
Ｓ６３においては、送信側装置から送信されてくるトーンＢ信号が受信されるのが待たれる。
Ｓ６４において、前記Ｓ６１において受信したＬ１、Ｌ２信号の測定結果の帯域幅及びＳ／Ｎ比がモデム２０から読み取られる。
【００５１】
Ｓ６５においては、ＩＮＦＯｈ信号が送信側装置に送信される。具体的には、前記Ｓ６４において読み取った帯域幅とシンボル速度決定テーブル１３ｃとに基づいて、シンボル速度が決定される。そして、その決定されたシンボル速度は、ＩＮＦＯｈ信号中の第２７ビットから第２９ビットに格納されて、送信側装置に送信される。
【００５２】
Ｓ６６においては、所定時間が経過するまので間に、Ｓ信号、Ｓ反転信号、ＰＰ信号及びＴＲＮ信号が受信されるのが待たれる。
Ｓ６７においては、ＰＰｈ信号、ＡＬＴ信号及びＭＰｈ信号の送受信が送信側装置との間で行われる。そして、ＭＰｈ信号のやりとりにおいて、送受信間の通信速度が決定される。
【００５３】
Ｓ６８においては、Ｅ信号の送受信が受信側装置との間で行われる。
図１２に示すＳ７１においては、前記Ｓ６４において読み取られた帯域幅及びＳ／Ｎ比が、ＮＳＦ信号中のＦＩＦ領域に格納される。
【００５４】
Ｓ７２においては、ＮＳＦ信号、ＣＳＩ信号及びＤＩＳ信号が送信側装置に送信される。
Ｓ７３においては、所定時間が経過するまので間に、送信側装置から送信されてくるＮＳＦ信号、ＴＳＩ信号及びＤＣＳ信号が受信されるのが待たれる。
【００５５】
Ｓ７４においては、ＣＦＲ信号が送信側装置に送信される。
Ｓ７５においては、１ブロック分の画データが受信される。
Ｓ７６においては、前記Ｓ７５において受信した１ブロック分の画データ中に誤りフレームが有ったか否かが判断される。１ブロック分の画データ中に誤りフレームが有った場合は、Ｓ７７に移行する。一方、１ブロック分の画データ中に誤りフレームがなかった場合は、Ｓ７９に移行する。
【００５６】
Ｓ７７においては、ＰＰＲ信号中のＦＩＦ領域に誤りフレームの情報が格納されて、送信側装置に送信される。
Ｓ７８においては、送信側装置から送信されてくる再送フレームの画データが受信される。
【００５７】
Ｓ７９においては、送信側装置から送信されてくるＰＰＳ−ＭＰＳ信号が受信されたか否かが判断される。ＰＰＳ−ＭＰＳ信号が受信された場合は、Ｓ７５に戻って、次の１ブロック分の画データが受信される。一方、ＰＰＳ−ＭＰＳ信号が受信されない場合は、Ｓ８０に移行する。
【００５８】
Ｓ８０においては、所定時間が経過するまでの間に、送信側装置から送信されてくるＰＰＳ−ＭＰＳ信号が受信されるのが待たれる。
Ｓ８１においては、所定時間が経過するまでの間に、送信側装置から送信されてくるＤＣＮ信号が受信されるのが待たれる。そして、ＤＣＮ信号が受信されると、ＮＣＵ２１により、交換機との間の回線Ｌが開放される。
【００５９】
以上、詳述したように本実施形態によれば、次のような作用、効果を得ることができる。
（１）送信側装置から送信するラインプロービング信号（Ｌ１，Ｌ２）によって、受信側装置で回線状況（帯域幅及びＳ／Ｎ比）が測定される。そして、その帯域幅及びＳ／Ｎ比がＮＳＦ信号中のＦＩＦ領域に格納されて送信側装置に送信される。そして、送信側装置においては、この帯域幅及びＳ／Ｎ比がＦＡＸ番号テーブル１３ｂに記憶される。このため、送信側装置は、帯域幅に基づいて、シンボル速度決定テーブル１３ｃからシンボル速度が決定される。また、このシンボル速度及びＳ／Ｎ比に基づいて、通信速度決定テーブル１３ｄから通信速度が決定される。その結果、送信側装置では、２回目以降の発呼に先だって送信先である受信側装置までの回線状況を予め把握することができる。従って、回線状況に応じて適切な通信速度を予め決定することができる。
【００６０】
（２）加えて、送信先のＦＡＸ番号に対応して帯域幅及びＳ／Ｎ比がＦＡＸ番号テーブル１３ｂに記憶される。このため、送信先である受信側装置毎に回線状況を把握することができる。従って、送信先毎に適切な通信速度を予め決定することができる。
【００６１】
（３）さらに、送信側装置では、ＦＡＸ番号テーブル１３ｂの再送回数に基づいて、予め通信速度を１ランク下げて送信することができる。このため、再送が頻発する可能性を極力抑制することができる。従って、通信時間を短くすることができるとともに、通信料金も安くすることができる。
【００６２】
（４）モデム２０から出力される帯域幅に基づいて、シンボル速度が決定される。そして、モデム２０から出力されるＳ／Ｎ比と前記シンボル速度とに基づいて、通信速度が決定される。このため、同一通信速度であってシンボル速度が異なる場合であっても、確実に適切な通信速度を決定することができる。
【００６３】
なお、前記実施形態は、次のように変更して具体化することも可能である。
・前記実施形態では、ラインプロービング信号時の測定結果（帯域幅及びＳ／Ｎ比）を受信側装置から送信側装置に送信し、その測定結果を送信側装置が記憶する構成に代えて、送受信された通信速度を記憶する構成にしても良い。
【００６４】
・送信側装置と受信側装置との間で送受信された最高通信速度を記憶する構成にしてのも良い。
・前記実施形態では、ラインプロービング信号時の測定結果を送信側装置に記憶する構成であるが、Ｖ．３４では通信途中に通信速度を変更することが可能である。このため、通信途中における最高通信速度を、次回の送信時のために送信側装置に記憶する構成にしても良い。このように構成すれば、次回の最初の通信速度を前回の最高通信速度から開始することができる。その結果、より一層通信時間を短くすることができるとともに、通信料金も安くすることができる。
【００６５】
・前記実施形態をＶ．３４機能における全二重通信の場合に適用しても良い。
・前記実施形態においては、帯域幅、Ｓ／Ｎ比に基づいて、通信速度を決定し、再送回数が１回以上あった場合は、通信速度を１ランク低下させた通信速度に決定させたが、帯域幅及びＳ／Ｎ比のみから通信速度を決定しても良い。
【００６６】
・図３に示すシンボル速度決定テーブル１３ｃ及び図４に示す通信速度決定テーブル１３ｄは、不変的な実験値であるため、ＲＯＭ１２に記憶させる構成にしても良い。
【００６７】
さらに、上記実施形態より把握される請求項以外の技術的思想について、以下にそれらの効果と共に記載する。
〔１〕請求項１に記載の通信端末装置において、制御手段は、送信側装置と受信側装置との間で行われた最高の通信速度を記憶する通信端末装置。
【００６８】
このように構成すれば、前回行われた通信の最高の通信速度で送信を開始することができる。
〔２〕請求項２に記載の通信端末装置において、制御手段は、前回の通信における再送回数の有無に応じて通信速度を決定する通信端末装置。
【００６９】
このように構成すれば、前回行われた通信時の再送回数の有無を考慮して通信速度を決定することができる。従って、より一層適切な通信速度を決定することができる。
【００７０】
【発明の効果】
本発明は、以上のように構成されているため、次のような効果を奏する。
請求項１に記載の発明によれば、適切な通信速度を予め決定することができる。
【００７１】
請求項２に記載の発明によれば、送信先毎に適切な通信速度を予め決定することができる。また、通信時間を短くすることができるとともに、通信料金も安くすることができる。
【図面の簡単な説明】
【図１】一実施形態におけるファクシミリ装置の構成を示すブロック図。
【図２】ＦＡＸ番号テーブルを示す説明図。
【図３】シンボル速度決定テーブルを示す説明図。
【図４】各シンボル速度に対する通信速度決定テーブルを示す説明図。
【図５】Ｖ．８及びＶ．３４における通信動作を示す説明図。
【図６】ＥＣＭモードを用いて送信する時の動作を示すフローチャート。
【図７】ＥＣＭモードを用いて送信する時の動作を示すフローチャート。
【図８】ＥＣＭモードを用いて送信する時の動作を示すフローチャート。
【図９】ＥＣＭモードを用いて送信する時の動作を示すフローチャート。
【図１０】ＥＣＭモードを用いて受信する時の動作を示すフローチャート。
【図１１】ＥＣＭモードを用いて受信する時の動作を示すフローチャート。
【図１２】ＥＣＭモードを用いて受信する時の動作を示すフローチャート。
【符号の説明】
１…通信端末装置としてのファクシミリ装置、１１…制御手段を構成するＭＰＵ、１２…制御手段を構成するＲＯＭ、１３…記憶手段及び制御手段を構成するＲＡＭ、２０…検出手段としてのモデム。
【図１】
0003627505.tif 000002
【図２】
0003627505.tif 000003
【図３】
0003627505.tif 000004
【図４】
0003627505.tif 000005
【図５】
0003627505.tif 000006
【図６】
0003627505.tif 000007
【図７】
0003627505.tif 000008
【図８】
0003627505.tif 000009
【図９】
0003627505.tif 000010
【図１０】
0003627505.tif 000011
【図１１】
0003627505.tif 000012
【図１２】
0003627505.tif 000013